【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）、前記圧縮機から吐出された前記冷媒と高温側熱媒体とを熱交換させる高温側熱媒体−冷媒熱交換器（１２）、前記高温側熱媒体−冷媒熱交換器から流出した前記冷媒を減圧させる吸熱用減圧部（１４ｂ）、及び前記吸熱用減圧部で減圧された低圧の前記冷媒と低温側熱媒体とを熱交換させる低温側熱媒体−冷媒熱交換器（１６）を有するヒートポンプサイクル（１０）と、
前記高温側熱媒体−冷媒熱交換器から流出した前記高温側熱媒体と温度調整対象流体とを熱交換させて前記温度調整対象流体を加熱する加熱用熱交換器（２３）を有する高温側熱媒体回路（２１）と、
前記低温側熱媒体−冷媒熱交換器から流出した前記低温側熱媒体に吸熱させる複数の吸熱用機器（３１、３２、３６、３８）、及びそれぞれの前記吸熱用機器における前記低温側熱媒体の吸熱量を変化させる吸熱量調整部（３３、３３ａ、３５ａ、３５ｂ、３７）を有する低温側熱媒体回路（３０）と、を備え、
前記吸熱量調整部がそれぞれの前記吸熱用機器における前記低温側熱媒体の吸熱量を変化させる場合に、前記低温側熱媒体−冷媒熱交換器へ流入する前記冷媒の流量を減少させ、さらに、予め定めた回復条件が成立したときに、前記低温側熱媒体−冷媒熱交換器へ流入する冷媒流量を増加させ、
前記複数の吸熱用機器のうち前記低温側熱媒体の吸熱量を増加させた増加吸熱用機器（３１、３２、３６、３８）の温度と、循環している前記低温側熱媒体の温度との差が予め定めた基準温度差以下となった際に、前記回復条件が成立したと判定する冷凍サイクル装置。
【請求項２】
前記増加吸熱用機器は、前記低温側熱媒体と外気とを熱交換させる外気熱交換器（３２）であり、
前記増加吸熱用機器の温度は、外気温である請求項１に記載の冷凍サイクル装置。
【請求項３】
前記吸熱量調整部がそれぞれの前記吸熱用機器における前記低温側熱媒体の吸熱量を変化させる場合に、前記低温側熱媒体−冷媒熱交換器へ流入する冷媒流量を減少させ、さらに、前記回復条件が成立したときに、前記圧縮機の冷媒吐出能力を増加させることによって、前記低温側熱媒体−冷媒熱交換器へ流入する前記冷媒の流量を増加させ、
前記吸熱量調整部が前記低温側熱媒体−冷媒熱交換器へ流入する前記低温側熱媒体の温度が上昇するようにそれぞれの前記吸熱用機器における前記低温側熱媒体の吸熱量を変化させる場合に前記回復条件が成立したときにおける前記圧縮機の冷媒吐出能力の増加割合が、前記吸熱量調整部が前記低温側熱媒体−冷媒熱交換器へ流入する前記低温側熱媒体の温度が低下するようにそれぞれの前記吸熱用機器における前記低温側熱媒体の吸熱量を変化させる場合に前記回復条件が成立したときにおける前記圧縮機の冷媒吐出能力の増加割合よりも小さい請求項１または２に記載の冷凍サイクル装置。
【請求項４】
前記吸熱量調整部がそれぞれの前記吸熱用機器における前記低温側熱媒体の吸熱量を変化させる場合に、前記低温側熱媒体−冷媒熱交換器へ流入する冷媒流量を減少させ、さらに、前記回復条件が成立したときに、前記吸熱用減圧部の絞り開度を増加させることによって、前記低温側熱媒体−冷媒熱交換器へ流入する前記冷媒の流量を増加させ、
前記吸熱量調整部が前記低温側熱媒体−冷媒熱交換器へ流入する前記低温側熱媒体の温度が上昇するようにそれぞれの前記吸熱用機器における前記低温側熱媒体の吸熱量を変化させる場合において前記回復条件が成立したときにおける前記吸熱用減圧部の絞り開度の増加割合が、前記吸熱量調整部が前記低温側熱媒体−冷媒熱交換器へ流入する前記低温側熱媒体の温度が低下するようにそれぞれの前記吸熱用機器における前記低温側熱媒体の吸熱量を変化させる場合において前記回復条件が成立したときにおける前記吸熱用減圧部の絞り開度の増加割合よりも大きい請求項１または２に記載の冷凍サイクル装置。
【請求項５】
冷媒を圧縮して吐出する圧縮機（１１）、前記圧縮機から吐出された前記冷媒と高温側熱媒体とを熱交換させる高温側熱媒体−冷媒熱交換器（１２）、前記高温側熱媒体−冷媒熱交換器から流出した前記冷媒を減圧させる吸熱用減圧部（１４ｂ）、及び前記吸熱用減圧部で減圧された低圧の前記冷媒と低温側熱媒体とを熱交換させる低温側熱媒体−冷媒熱交換器（１６）を有するヒートポンプサイクル（１０）と、
前記高温側熱媒体−冷媒熱交換器から流出した前記高温側熱媒体と温度調整対象流体とを熱交換させて前記温度調整対象流体を加熱する加熱用熱交換器（２３）を有する高温側熱媒体回路（２１）と、
前記低温側熱媒体−冷媒熱交換器から流出した前記低温側熱媒体に吸熱させる複数の吸熱用機器（３１、３２、３６、３８）、及びそれぞれの前記吸熱用機器における前記低温側熱媒体の吸熱量を変化させる吸熱量調整部（３３、３３ａ、３５ａ、３５ｂ、３７）を有する低温側熱媒体回路（３０）と、を備え、
前記吸熱量調整部がそれぞれの前記吸熱用機器における前記低温側熱媒体の吸熱量を変化させる場合に、前記低温側熱媒体−冷媒熱交換器へ流入する冷媒流量を減少させ、さらに、予め定めた回復条件が成立したときに、前記圧縮機の冷媒吐出能力を増加させることによって、前記低温側熱媒体−冷媒熱交換器へ流入する前記冷媒の流量を増加させ、
前記吸熱量調整部が前記低温側熱媒体−冷媒熱交換器へ流入する前記低温側熱媒体の温度が上昇するようにそれぞれの前記吸熱用機器における前記低温側熱媒体の吸熱量を変化させる場合に前記回復条件が成立したときにおける前記圧縮機の冷媒吐出能力の増加割合が、前記吸熱量調整部が前記低温側熱媒体−冷媒熱交換器へ流入する前記低温側熱媒体の温度が低下するようにそれぞれの前記吸熱用機器における前記低温側熱媒体の吸熱量を変化させる場合に前記回復条件が成立したときにおける前記圧縮機の冷媒吐出能力の増加割合よりも小さい冷凍サイクル装置。
【請求項６】
冷媒を圧縮して吐出する圧縮機（１１）、前記圧縮機から吐出された前記冷媒と高温側熱媒体とを熱交換させる高温側熱媒体−冷媒熱交換器（１２）、前記高温側熱媒体−冷媒熱交換器から流出した前記冷媒を減圧させる吸熱用減圧部（１４ｂ）、及び前記吸熱用減圧部で減圧された低圧の前記冷媒と低温側熱媒体とを熱交換させる低温側熱媒体−冷媒熱交換器（１６）を有するヒートポンプサイクル（１０）と、
前記高温側熱媒体−冷媒熱交換器から流出した前記高温側熱媒体と温度調整対象流体とを熱交換させて前記温度調整対象流体を加熱する加熱用熱交換器（２３）を有する高温側熱媒体回路（２１）と、
前記低温側熱媒体−冷媒熱交換器から流出した前記低温側熱媒体に吸熱させる複数の吸熱用機器（３１、３２、３６、３８）、及びそれぞれの前記吸熱用機器における前記低温側熱媒体の吸熱量を変化させる吸熱量調整部（３３、３３ａ、３５ａ、３５ｂ、３７）を有する低温側熱媒体回路（３０）と、を備え、
前記吸熱量調整部がそれぞれの前記吸熱用機器における前記低温側熱媒体の吸熱量を変化させる場合に、前記低温側熱媒体−冷媒熱交換器へ流入する前記冷媒の流量を減少させ、さらに、予め定めた回復条件が成立したときに、前記吸熱用減圧部の絞り開度を増加させることによって、前記低温側熱媒体−冷媒熱交換器へ流入する前記冷媒の流量を増加させ、
前記吸熱量調整部が前記低温側熱媒体−冷媒熱交換器へ流入する前記低温側熱媒体の温度が上昇するようにそれぞれの前記吸熱用機器における前記低温側熱媒体の吸熱量を変化させる場合において前記回復条件が成立したときにおける前記吸熱用減圧部の絞り開度の増加割合が、前記吸熱量調整部が前記低温側熱媒体−冷媒熱交換器へ流入する前記低温側熱媒体の温度が低下するようにそれぞれの前記吸熱用機器における前記低温側熱媒体の吸熱量を変化させる場合において前記回復条件が成立したときにおける前記吸熱用減圧部の絞り開度の増加割合よりも大きい冷凍サイクル装置。
【請求項７】
前記低温側熱媒体の温度変化量が予め定めた基準変化量以下となった際に、前記回復条件が成立したと判定する請求項５または６に記載の冷凍サイクル装置。
【請求項８】
前記複数の吸熱用機器は、少なくとも第１吸熱部（３１）と第２吸熱部（３２）とを含み、
前記第１吸熱部の温度帯と前記第２吸熱部の温度帯とが互いに異なる請求項１ないし７のいずれか１つに記載の冷凍サイクル装置。
【請求項９】
前記ヒートポンプサイクルは、前記高温側熱媒体−冷媒熱交換器から流出した前記冷媒を減圧させる冷却用減圧部（１４ａ）、及び前記冷却用減圧部で減圧された低圧の前記冷媒と前記温度調整対象流体とを熱交換させて前記温度調整対象流体を冷却する冷却用熱交換部（１５）を有し、
前記吸熱量調整部がそれぞれの前記吸熱用機器における前記低温側熱媒体の吸熱量を変化させる場合に、前記冷却用熱交換部へ流入する前記冷媒の流量に対する前記低温側熱媒体−冷媒熱交換器へ流入する前記冷媒の流量の流量比を減少させることによって、前記低温側熱媒体−冷媒熱交換器へ流入する冷媒流量を減少させる請求項１ないし８のいずれか１つに記載の冷凍サイクル装置。
【請求項１０】
前記吸熱量調整部がそれぞれの前記吸熱用機器における前記低温側熱媒体の吸熱量を変化させる場合、前記圧縮機の冷媒吐出能力を減少させることによって、前記低温側熱媒体−冷媒熱交換器へ流入する冷媒流量を減少させる請求項１ないし８のいずれか１つに記載の冷凍サイクル装置。
【請求項１１】
前記吸熱量調整部がそれぞれの前記吸熱用機器における前記低温側熱媒体の吸熱量を変化させる場合に、前記吸熱用減圧部の絞り開度を減少させることによって、前記低温側熱媒体−冷媒熱交換器へ流入する冷媒流量を減少させる請求項１ないし８のいずれか１つに記載の冷凍サイクル装置。
【請求項１２】
前記吸熱量調整部は、前記複数の吸熱用機器へ流入する前記低温側熱媒体の流量を調整する流量調整部（３３、３３ａ、３５ａ、３５ｂ、３７）を含む請求項１ないし１１のいずれか１つに記載の冷凍サイクル装置。
【請求項１３】
前記複数の吸熱用機器は、少なくとも作動時に発熱する発熱機器（３１、３６）を含み、
前記吸熱量調整部は、前記発熱機器からの吸熱量を変化させる場合に、前記低温側熱媒体−冷媒熱交換器へ流入する冷媒流量を減少させる請求項１ないし１２のいずれか１つに記載の冷凍サイクル装置。
【請求項１４】
前記高温側熱媒体回路は、前記高温側熱媒体を加熱する補助加熱部（２４）を有し、
前記補助加熱部は、前記加熱用熱交換器から流出した前記温度調整対象流体の温度が目標温度に近づくように前記高温側熱媒体を加熱する請求項１ないし１３のいずれか１つに記載の冷凍サイクル装置。
【手続補正２】
【補正対象書類名】明細書
【補正対象項目名】０００９
【補正方法】変更
【補正の内容】
【０００９】
上記目的を達成するため、請求項１に記載の発明は、冷媒を圧縮して吐出する圧縮機（１１）、圧縮機から吐出された冷媒と高温側熱媒体とを熱交換させる高温側熱媒体−冷媒熱交換器（１２）、高温側熱媒体−冷媒熱交換器から流出した冷媒を減圧させる吸熱用減圧部（１４ｂ）、及び吸熱用減圧部で減圧された低圧の冷媒と低温側熱媒体とを熱交換さ
せる低温側熱媒体−冷媒熱交換器（１６）を有するヒートポンプサイクル（１０）と、
高温側熱媒体−冷媒熱交換器から流出した高温側熱媒体と温度調整対象流体とを熱交換させて温度調整対象流体を加熱する加熱用熱交換器（２３）を有する高温側熱媒体回路（２１）と、
低温側熱媒体−冷媒熱交換器から流出した低温側熱媒体に吸熱させる複数の吸熱用機器（３１、３２、３６、３８）、及びそれぞれの吸熱用機器における低温側熱媒体の吸熱量を変化させる吸熱量調整部（３３、３３ａ、３５ａ、３５ｂ、３７）を有する低温側熱媒体回路（３０）と、を備え、
吸熱量調整部がそれぞれの吸熱用機器における低温側熱媒体の吸熱量を変化させる場合に、低温側熱媒体−冷媒熱交換器へ流入する冷媒の流量を減少させ、さらに、予め定めた回復条件が成立したときに、低温側熱媒体−冷媒熱交換器へ流入する冷媒流量を増加させ、
複数の吸熱用機器のうち低温側熱媒体の吸熱量を増加させた増加吸熱用機器（３１、３２、３６、３８）の温度と、循環している低温側熱媒体の温度との差が予め定めた基準温度差以下となった際に、回復条件が成立したと判定する冷凍サイクル装置である。
【手続補正３】
【補正対象書類名】明細書
【補正対象項目名】００１０
【補正方法】変更
【補正の内容】
【００１０】
これによれば、吸熱量調整部が低温側熱媒体回路における低温側熱媒体の吸熱量を変化させると、低温側熱媒体−冷媒熱交換器へ流入する低温側熱媒体の温度が変動する。このような場合に、低温側熱媒体−冷媒熱交換器へ流入する冷媒の流量を減少させているので、圧縮機の耐久性への影響を小さくできる。その結果、圧縮機の耐久性を向上することができる。
また、請求項５の発明は、冷媒を圧縮して吐出する圧縮機（１１）、圧縮機から吐出された冷媒と高温側熱媒体とを熱交換させる高温側熱媒体−冷媒熱交換器（１２）、高温側熱媒体−冷媒熱交換器から流出した冷媒を減圧させる吸熱用減圧部（１４ｂ）、及び吸熱用減圧部で減圧された低圧の冷媒と低温側熱媒体とを熱交換させる低温側熱媒体−冷媒熱交換器（１６）を有するヒートポンプサイクル（１０）と、
高温側熱媒体−冷媒熱交換器から流出した高温側熱媒体と温度調整対象流体とを熱交換させて温度調整対象流体を加熱する加熱用熱交換器（２３）を有する高温側熱媒体回路（２１）と、
低温側熱媒体−冷媒熱交換器から流出した低温側熱媒体に吸熱させる複数の吸熱用機器（３１、３２、３６、３８）、及びそれぞれの吸熱用機器における低温側熱媒体の吸熱量を変化させる吸熱量調整部（３３、３３ａ、３５ａ、３５ｂ、３７）を有する低温側熱媒体回路（３０）と、を備え、
吸熱量調整部がそれぞれの吸熱用機器における低温側熱媒体の吸熱量を変化させる場合に、低温側熱媒体−冷媒熱交換器へ流入する冷媒流量を減少させ、さらに、予め定めた回復条件が成立したときに、圧縮機の冷媒吐出能力を増加させることによって、低温側熱媒体−冷媒熱交換器へ流入する冷媒の流量を増加させ、
吸熱量調整部が低温側熱媒体−冷媒熱交換器へ流入する低温側熱媒体の温度が上昇するようにそれぞれの吸熱用機器における低温側熱媒体の吸熱量を変化させる場合に回復条件が成立したときにおける圧縮機の冷媒吐出能力の増加割合が、吸熱量調整部が低温側熱媒体−冷媒熱交換器へ流入する低温側熱媒体の温度が低下するようにそれぞれの吸熱用機器における低温側熱媒体の吸熱量を変化させる場合に回復条件が成立したときにおける圧縮機の冷媒吐出能力の増加割合よりも小さい冷凍サイクル装置である。
また、請求項６の発明は、冷媒を圧縮して吐出する圧縮機（１１）、圧縮機から吐出された冷媒と高温側熱媒体とを熱交換させる高温側熱媒体−冷媒熱交換器（１２）、高温側熱媒体−冷媒熱交換器から流出した冷媒を減圧させる吸熱用減圧部（１４ｂ）、及び吸熱用減圧部で減圧された低圧の冷媒と低温側熱媒体とを熱交換させる低温側熱媒体−冷媒熱交換器（１６）を有するヒートポンプサイクル（１０）と、
高温側熱媒体−冷媒熱交換器から流出した高温側熱媒体と温度調整対象流体とを熱交換させて温度調整対象流体を加熱する加熱用熱交換器（２３）を有する高温側熱媒体回路（２１）と、
低温側熱媒体−冷媒熱交換器から流出した低温側熱媒体に吸熱させる複数の吸熱用機器（３１、３２、３６、３８）、及びそれぞれの吸熱用機器における低温側熱媒体の吸熱量を変化させる吸熱量調整部（３３、３３ａ、３５ａ、３５ｂ、３７）を有する低温側熱媒体回路（３０）と、を備え、
吸熱量調整部がそれぞれの吸熱用機器における低温側熱媒体の吸熱量を変化させる場合に、低温側熱媒体−冷媒熱交換器へ流入する冷媒の流量を減少させ、さらに、予め定めた回復条件が成立したときに、吸熱用減圧部の絞り開度を増加させることによって、低温側熱媒体−冷媒熱交換器へ流入する冷媒の流量を増加させ、
吸熱量調整部が低温側熱媒体−冷媒熱交換器へ流入する低温側熱媒体の温度が上昇するようにそれぞれの吸熱用機器における低温側熱媒体の吸熱量を変化させる場合において回復条件が成立したときにおける吸熱用減圧部の絞り開度の増加割合が、吸熱量調整部が低温側熱媒体−冷媒熱交換器へ流入する低温側熱媒体の温度が低下するようにそれぞれの吸熱用機器における低温側熱媒体の吸熱量を変化させる場合において回復条件が成立したときにおける吸熱用減圧部の絞り開度の増加割合よりも大きい冷凍サイクル装置である。
なお、この欄及び特許請求の範囲で記載した各手段の括弧内の符号は、後述する実施形態に記載の具体的手段との対応関係を示すものである。